(57)【要約】【課題】外観が良好で、部品点数が低減され、リング径調節機構の誤動作がなく、留め具係止機構と鎖状部リング径調節機構が連動する装飾品留め具の提供。【解決手段】係止動作機構を有するホルダーとホルダー受けからなり、ホルダーの係止動作機構の内部に装飾品鎖状部を挿通させると共に、係止動作機構の構成部品を用いて鎖状部のリング径調節部を構成した装飾品留め具。【選択図】          図３
2008279047.tif 000002
【特許請求の範囲】
【請求項１】
装飾品鎖状部の片方の端部側に設けられ係止動作機構を有するホルダーと、他方の端部側に設けたホルダー受けとを係止させる留め具であって、
前記ホルダーにおいては、その係止動作機構の内部に前記鎖状部を挿通させると共に、前記係止動作機構の構成部品を用いて鎖状部を固定し及びそのスライド移動を許すリング径調節部を構成したことを特長とする装飾品留め具。
【請求項２】
前記リング径調節部が、ホルダーの係止動作機構の構成部品であってかつ係止動作機構の内部に挿通させた鎖状部の凹凸構造に喰い込むサイズ又は形状のチェーンストッパを備えたストッパ部品によって構成されていることを特徴とする請求項１に記載の装飾品留め具。
【請求項３】
前記ストッパ部品が係止動作機構を構成する細いバネ材であって、その一部が鎖状部の凹凸構造に喰い込んだチェーンストッパとなっていることを特徴とする請求項２に記載の装飾品留め具。
【請求項４】
前記ストッパ部品が、ホルダーの係止と係止解除のために動作する剛性部品であって、その一部が尖端状のチェーンストッパとなっており、ホルダーが係止状態にある時にはチェーンストッパが鎖状部の凹凸構造に喰い込み、ホルダーが係止解除状態にある時にはチェーンストッパが鎖状部から退避することを特徴とする請求項２に記載の装飾品留め具。
【請求項５】
前記ホルダーが１対の顎部材を開口／閉口可能に軸支したバネ閉じ式の鰐口クリップであって、その１対の顎部材のいずれか一方の内部に前記鎖状部を挿通させており、前記ホルダー受けが１対の開口状態の顎部材間に嵌入して係止される係止部材であることを特徴とする請求項１〜請求項４のいずれかに記載の装飾品留め具。
【請求項６】
前記鰐口クリップの内部には１対の顎部材間に軸支された支持部材を設けると共に、この支持部材の先端に磁石あるいは磁石吸着性の金属材を一方の吸着部材として設け、前記係止部材の先端には前記一方の吸着部材と互いに吸着する磁石あるいは磁石吸着性の金属材を他方の吸着部材として設けたことを特徴とする請求項５に記載の装飾品留め具。
【請求項７】
前記支持部材の一部を尖端状に形成して、前記チェーンストッパとしたことを特徴とする請求項６に記載の装飾品留め具。
【請求項８】
前記支持部材を、鰐口クリップ閉口用の線状バネ材であるリンクアームを用いて１対の顎部材に連結して、１対の顎部材の開口時に吸着部材が開口部から突出動作するリンク機構を構成すると共に、以下の（１）と（２）のいずれか１以上の構成としたことを特徴とする請求項６に記載の装飾品留め具。
（１）前記リンクアームの前記顎部材との連結部側の端部を前記チェーンストッパとして、顎部材の内部に挿通させた前記鎖状部の凹凸構造に喰い込ませる。
（２）前記支持部材の一部を尖端状に形成して前記チェーンストッパとし、顎部材の内部に挿通させた前記鎖状部の凹凸構造に喰い込ませる。
【発明の詳細な説明】
【技術分野】
【０００１】
本発明は装飾品留め具に関する。更に詳しくは本発明は、鎖状の形態からなり又は鎖状の形態部分を有する装飾品、例えば、ネックレス、ブレスレット、アンクレット等の鎖状部の端部間を係止させて止着する留め具であって、鎖状部のリング径を調節できる機能も備えた装飾品留め具に関する。
【背景技術】
【０００２】
従来の装飾品留め具として、スプリングを使用した引輪方式と呼ばれるものや、板バネを使用した差込方式と呼ばれるもの等があった。
【０００３】
【特許文献１】特開平０８−１２６５０６号公報  例えば上記の特許文献１は、貫通孔を有する止め輪と、切欠部のある挿通孔が形成された固定円盤と、切欠部のある挿通孔が形成された回転円盤とを嵌着させたネックレス等の留め具を開示している。
【０００４】
しかし、この留め具は、鎖状部のリング径を調節できる機能を持たない。又、この留め具は１対の係止用部材を目視により係止させる方式であり、しかも通常は係止用部材が非常に小さいものであるため、１対の係止用部材を相互に正しい係止位置にロケーションさせて係止することが簡単ではない。更に、ネックレスのように装着者の首の後ろで留め具を係止させる装飾品の場合、係止操作を目視できないため、上記の係止操作が特に難しく、更に係止用部材が正確に係止されたことの確認が難しい。
【０００５】
【特許文献２】特開平０９−２８９９１１号公報  上記の特許文献２は、先端が膨出した突起を有する雄部材と、前記突起を嵌合できるチャンネル部を有する雌部材とからなるネックレス等の留め具を開示している。そしてチャンネル部の一端を雌部材の外周に開放すると共に、チャンネル部の奥側にはバネ線条を形成することにより、雄部材の突起をチャンネル部にスナップ係合できるようにして、留め具の係止を容易にしている。
【０００６】
しかし、この留め具も、鎖状部のリング径を調節できる機能を持たない。又、
この留め具は、手探りで雄部材と雌部材を相互に正しい係止位置にロケーションさせる必要があるため、操作の難しさ、係止用部材が正確に係止されたことの確認の難しさにおいて、本質的に特許文献１に記載の従来技術と大差がない。
【０００７】
【特許文献３】国際公開ＷＯ２００６／００６４７６号公報  以上の従来技術に対し、本願発明者は上記の特許文献３において以下に述べるような優れた「装飾品鎖状端部の留め具」を提案している。
【０００８】
即ち、装飾品の片方の鎖状部の端部に設けたホルダーと他方の鎖状部の端部に設けたホルダー受けとを係止させる方式の留め具であって、前記ホルダーとホルダー受けには、これらを正しい係止位置に誘導できる部位に、互いに吸着する磁石の各一方を、あるいは磁石とこれに吸着される金属材とを吸着部材として設けた装飾品鎖状端部の留め具である。この留め具においては、より好ましくは、ホルダーが１対の顎部材を開口／閉口可能に軸支したバネ閉じ式の鰐口クリップであり、ホルダー受けが前記１対の開口状態の顎部材間に嵌入して係止される係止部材である。
【０００９】
この留め具では、ホルダーとホルダー受けとを大まかに近接位置させるだけで、吸着部材のガイド作用によってこれらが正しい係止位置にロケーションされる。しかも、吸着部材は互いに吸着した際に「カチッ」と言う接合音を発するので、この接合音によってホルダーとホルダー受けとが正しい係止位置にロケーションされたことを確認できる。即ち、小さな部材であるホルダーとホルダー受けとを装着者が係止位置に正確にロケーションさせて係止させる必要がない。従って、例えばネックレスのように装着者の首の後ろで留め具を係止させる装飾品の場合も含めて、装飾品の留め具の係止が簡単かつ容易で、しかも確実である。
【００１０】
しかしながら、特許文献３に係る留め具においても、装飾品の鎖状部が環状に連結したときのリング径を調節できる機能は備えていない。
【００１１】
一方、鎖状部のリング径を調節することのみを目的とする部材は、下記の特許文献４〜特許文献７に例示されるように幾つか提案されている。このような部材においては一般的に、部材の内部に挿通された鎖状部を常時は実質的に固定することができ、必要に応じて鎖状部を引っ張ってスライド移動させることにより鎖状部のリング径を調節することもできる機能が要求される。
【００１２】
【特許文献４】特開２００６−１３６７４６号公報  上記の特許文献４では、留め具としてケーシングに内蔵した弾性体がケーシング内で回転することにより、ケーシングを通過する装身用チェーンのスライド移動が許されて、リング径が調節される方式の装身用チェーンのスライド構造を開示している。
【００１３】
【特許文献５】特開２０００−５０９２０号公報  上記の特許文献５は、穿孔した第１装身具の内部空洞にエラストマーを充填し、環状をなすチェーンを前記の内部空洞に通すチェーン状装身具を開示している。チェーンを引っ張れば、第１装身具中のチェーンをエラストマーの摩擦抵抗に抗してスライド移動させ、チェーンのリング径を調節することができる。
【００１４】
【特許文献６】特開２００５−２８７９９９号公報
【特許文献７】特開２０００−２８７７２３号公報  上記の特許文献６及び特許文献７はいずれも、バネによる弾発力を利用したチェーンのリング径調節具を開示する。要するに、チェーンを挿通させた調節具の内部に圧縮状態のバネを設け、バネと調節具の壁部内周部との間にチェーンを弾力的に止着している。チェーンを引っ張れば、バネの弾発力に抗してチェーンを強制的にスライド移動させ、チェーンのリング径を調節することができる。
【発明の開示】
【発明が解決しようとする課題】
【００１５】
以上の従来技術の状況から分かるように、装飾品鎖状端部の留め具としては、特許文献３に係る優れた留め具が公知であり、それとは別に、鎖状部リング径の調節部材も幾つかの技術が公知である。
【００１６】
しかしながら、第１の技術的課題として、鎖状装飾品の優れた留め具であって鎖状部リング径の調節機能をも備えたものは、未だ提供されていない。留め具とリング径調節部材とを単一部材化させることができれば、装飾品の外観が良好になる。更に、単一部材化を利用して、本質的に必要な部品の点数を合理的に低減させることができれば、微小な構造物である留め具の加工製作上、大きな利点となる。
【００１７】
第２の技術的課題として、前記従来のチェーンのリング径調節部材はいずれも、摩擦抵抗部材やバネ部材をチェーンに面接触させて実質的に固定する方式であり、極めて多数の小環状部材の連結体であるチェーンの凹凸構造を利用したシッカリした固定ではない。そのため、装着者の種々の動作により意図せずしてチェーンが弱い力で引っ張られた際でも、チェーンがスライド移動してリング径が勝手に拡張してしまうという不具合があった。
【００１８】
第３の技術的課題として、前記の従来技術では、当然ながら、留め具の止着とチェーンのリング径調節とは別個に行われる。しかし、チェーンのリング径は、通常は、装飾品の装着の際（留め具の係止の際）に装着者の首回りサイズや装着状態の好み等に応じて調節するものである。従って、留め具の係止機構とチェーンのスライド移動（リング径調節）を許す機構とが連動する構成とされていれば、極めて好ましい。
【００１９】
そこで本発明は、鎖状の形態からなり、又は鎖状の形態部分を有する装飾品において、上記の第１〜第３の技術的課題を解決することを目的とする。
【課題を解決するための手段】
【００２０】
（第１発明）
上記課題を解決するための本願第１発明の構成は、装飾品鎖状部の片方の端部側に設けられ係止動作機構を有するホルダーと、他方の端部側に設けたホルダー受けとを係止させる留め具であって、前記ホルダーにおいては、その係止動作機構の内部に前記鎖状部を挿通させると共に、前記係止動作機構の構成部品を用いて鎖状部を固定し及びそのスライド移動を許すリング径調節部を構成した、装飾品留め具である。
【００２１】
第１発明の装飾品留め具においては、ホルダーの係止動作機構の内部において、鎖状部を挿通させてその固定とスライド移動とを制御するリング径調節部を構成しているので、装飾品留め具とリング径調節部材とが単一部材化され、装飾品の外観が良好になる。更に、留め具に必須な係止動作機構の構成部品を用いてリング径調節部を構成するので、リング径調節のための専用部品が一切不要となり、微小な構造物である留め具の部品点数が合理的に低減される。以上の点から、第１発明の装飾品留め具によって前記第１の技術的課題が解決される。
【００２２】
（第２発明）
上記課題を解決するための本願第２発明の構成は、前記第１発明に係るリング径調節部が、ホルダーの係止動作機構の構成部品であって、かつ係止動作機構の内部に挿通させた鎖状部の凹凸構造に喰い込むサイズ又は形状のチェーンストッパを備えたストッパ部品によって構成されている、装飾品留め具である。
【００２３】
第２発明の装飾品留め具によれば、係止動作機構の構成部品でもあるストッパ部品にチェーンストッパを設け、このチェーンストッパを、多数の小環状部材の連結体である鎖状部の凹凸構造に喰い込ませる。従って、鎖状部はチェーンストッパによりシッカリと固定されるので、装着者の種々の動作により意図せずしてチェーンが弱い力で引っ張られた際でも、チェーンがスライド移動してリング径が勝手に拡張するという不具合がない。
【００２４】
そのため、第２発明の装飾品留め具によって、前記第１の技術的課題と第２の技術的課題とが解決される。
【００２５】
（第３発明）
上記課題を解決するための本願第３発明の構成は、前記第２発明に係るストッパ部品が係止動作機構を構成する細いバネ材であって、その一部が鎖状部の凹凸構造に喰い込んだチェーンストッパとなっている、装飾品留め具である。
【００２６】
第３発明の装飾品留め具によって、第２発明の装飾品留め具の好ましい１実施形態が提供される。
【００２７】
第３発明においては細いバネ材によって鎖状部の固定とスライド移動とが制御される。即ち、常時はバネ材によって鎖状部が固定され、しかもバネ材が鎖状部の凹凸構造に喰い込んでいるため、その固定は前記の特許文献６や特許文献７に係るリング径調節具に比較して確実であり、意図しない弱い引っ張り力によって鎖状部が勝手にスライド移動するという不具合がない。比較的強い力で意図して鎖状部を引っ張った場合にのみ、鎖状部がスライド移動する。
【００２８】
（第４発明）
上記課題を解決するための本願第４発明の構成は、前記第２発明に係るストッパ部品が、ホルダーの係止と係止解除のために動作する剛性部品であって、その一部が尖端状のチェーンストッパとなっており、ホルダーが係止状態にある時にはチェーンストッパが鎖状部の凹凸構造に喰い込み、ホルダーが係止解除状態にある時にはチェーンストッパが鎖状部から退避する、装飾品留め具である。
【００２９】
第４発明の装飾品留め具によって、第２発明の装飾品留め具の好ましい１実施形態が提供される。
【００３０】
第４発明においては、鎖状部の固定とスライド移動とが、剛性部品のチェーンストッパが鎖状部の凹凸構造に喰い込むことによる固定と、このチェーンストッパが鎖状部から退避することによる固定解除とによって、明確に切り替えて行われる。しかも、鎖状部の固定はホルダーが係止状態にある時に行われ、鎖状部の固定解除はホルダーが係止解除状態にある時に行われる。
【００３１】
従って、第１に鎖状部の固定とスライド移動との制御が確実であり、第２に装飾品留め具の係止と鎖状部の固定の制御とが連動する。第４発明の装飾品留め具によって前記第１の技術的課題〜第３の技術的課題がいずれも解決される。
【００３２】
（第５発明）
上記課題を解決するための本願第５発明の構成は、前記第１発明〜第４発明のいずれかに係るホルダーが１対の顎部材を開口／閉口可能に軸支したバネ閉じ式の鰐口クリップであって、その１対の顎部材のいずれか一方の内部に前記鎖状部を挿通させており、前記ホルダー受けが１対の開口状態の顎部材間に嵌入して係止される係止部材である、装飾品留め具である。
【００３３】
本発明の装飾品留め具におけるホルダー及びホルダー受けの具体的な構成は、第１発明の規定に該当する限りにおいて限定されないが、第５発明に規定するような鰐口クリップ式のものを好ましく例示することができる。
【００３４】
一般的に、第５発明のような鰐口クリップ形式のホルダーは留め具の操作が容易である。例えばネックレスのように装着者の首の後ろで留め具を係止させる装飾品の場合にも、ホルダーが鰐口クリップ形式であることに起因して、装飾品留め具の係止及び係止解除の操作を一層簡単かつ確実に行うことができる。
【００３５】
（第６発明）
上記課題を解決するための本願第６発明の構成は、前記第５発明に係る鰐口クリップの内部には１対の顎部材間に軸支された支持部材を設けると共に、この支持部材の先端に磁石あるいは磁石吸着性の金属材を一方の吸着部材として設け、前記係止部材の先端には前記一方の吸着部材と互いに吸着する磁石あるいは磁石吸着性の金属材を他方の吸着部材として設けた、装飾品留め具である。
【００３６】
この第６発明において、支持部材の「軸支」を行う支軸の種類は限定されず、例えば１対の顎部材を連結する支軸による軸支でもよいし、第８発明に関して後述するリンクアームの中央部分による軸支でもよい。
【００３７】
第６発明の装飾品留め具によれば、第１発明〜第４発明に関して前記した効果に加え、特許文献３に係る留め具と同様の効果も得ることができる。
【００３８】
即ち、ホルダーとホルダー受けとを大まかに近接位置させるだけで、吸着部材のガイド作用によってこれらが正しい係止位置にロケーションされる。しかも、吸着部材は互いに吸着した際に「カチッ」と言う接合音を発するので、この接合音によってホルダーとホルダー受けとが正しい係止位置にロケーションされたことを確認できる。言い換えれば、小さな部材であるホルダーとホルダー受けとを装着者が係止位置に正確にロケーションさせて係止させる必要がない。従って、例えばネックレスのように装着者の首の後ろで留め具を係止させる装飾品の場合も含めて、装飾品の留め具の係止が簡単かつ容易で、しかも確実である。
【００３９】
（第７発明）
上記課題を解決するための本願第７発明の構成は、前記第６発明に係る支持部材の一部を尖端状に形成して前記チェーンストッパとした、装飾品留め具である。
【００４０】
第７発明の装飾品留め具によれば、前記したストッパ部品の、第４発明に従う１実施形態が提供される。
【００４１】
即ち、前記した第６発明に係る支持部材は、鰐口クリップ式ホルダーにおける係止動作機構の構成部品（吸着部材の支持用部品）である。そして、支持部材は、ホルダーが係止状態にある時、即ち１対の顎部材が閉じた状態にある時には顎部材に対して近接位置し、ホルダーが係止解除状態にある時、即ち１対の顎部材が開いた状態にある時には顎部材から離隔する。従って、この支持部材の所定部分（顎部材の内部に挿通させた鎖状部に近接する部分）に尖端状のチェーンストッパを形成しておけば、ホルダーが係止状態にある時にはチェーンストッパを鎖状部の凹凸構造に喰い込ませ、ホルダーが係止解除状態にある時にはチェーンストッパを鎖状部から退避させることができる。
【００４２】
（第８発明）
上記課題を解決するための本願第８発明の構成は、前記第６発明に係る支持部材を、鰐口クリップ閉口用の線状バネ材であるリンクアームを用いて１対の顎部材に連結して、１対の顎部材の開口時に吸着部材が開口部から突出動作するリンク機構を構成すると共に、以下の（１）と（２）のいずれか１以上の構成とした、装飾品留め具である。
（１）前記リンクアームの前記顎部材との連結部側の端部を前記チェーンストッパとして、顎部材の内部に挿通させた前記鎖状部の凹凸構造に喰い込ませる。
（２）前記支持部材の一部を尖端状に形成して前記チェーンストッパとし、顎部材の内部に挿通させた前記鎖状部の凹凸構造に喰い込ませる。
【００４３】
第８発明の装飾品留め具によれば、前記したストッパ部品の、第３発明あるいは第４発明のいずれか１以上に従う１実施形態が提供される。
【００４４】
即ち、第８発明の鰐口クリップは１対の顎部材を線状バネ材であるリンクアームを用いてバネ閉じ式に開口／閉口させ、かつ吸着部材を備えた支持部材をこのリンクアームに取り付ける構成である。
【００４５】
従って、上記の（１）は、１対の顎部材の開口時に吸着部材が開口部から突出動作するようにリンク機構が構成されており、リンク機構のリンクアームを鰐口クリップ閉口用のバネとしても利用する合理的な構成であって、突出した吸着部材は係止部材側の吸着部材との吸着が一層容易になると共に、係止操作時における吸着部材のガイド作用が特に有効に発現される。そして線状バネ材であるリンクアームの所定部分（顎部材の内部に挿通させた鎖状部に近接する部分）を鎖状部の凹凸構造に喰い込ませておけば、細いバネ材によって鎖状部の固定とスライド移動とが制御される。
【００４６】
又、上記の（２）は、第７発明の場合と同様の作用・効果を奏する。（１）と（２）のチェーンストッパを併せて設定した場合、鎖状部に対する固定効果が極めて確実なものとなる。
【発明の効果】
【００４７】
本発明の装飾品留め具は留め具とリング径調節部材との単一部材化により外観が良好であり、必要部品の点数が合理的に低減され、装飾品鎖状部のリング径が不測の原因により拡張せず、留め具の係止機構とリング径調節機構が連動する。
【発明を実施するための最良の形態】
【００４８】
次に、本願の第１発明〜第８発明の実施形態を、その最良の実施形態を含めて説明する。
【００４９】
〔装飾品鎖状端部の留め具〕
本発明に係る装飾品留め具は、装飾品鎖状部の片方の端部側に設けられ係止動作機構を有するホルダーと、装飾品鎖状部の他方の端部側に設けたホルダー受けとから構成される。ホルダーとホルダー受けとは、ホルダー側の係止動作機構によって互いに係止させることが可能である。「ホルダー」、「ホルダー受け」という呼び方は相対的なもので、要は鎖状装飾品の１対の留め具部材を指すのであって、その内、係止のための動作機構を有する方の部材を「ホルダー」と呼んでいるに過ぎない。
【００５０】
本発明においては、ホルダーの係止動作機構の内部に鎖状部の端部側部分を挿通させると共に、係止動作機構の構成部品を用いて鎖状部を固定し及びそのスライド移動を許すリング径調節部を構成している。リング径調節部の詳しい説明は後述する
「装飾品」とは、鎖状の形態からなり、又は鎖状の形態部分を有する装飾品である限りにおいて限定されないが、例えばネックレス、ブレスレット、アンクレット等を好ましく例示することができる。
【００５１】
又、「鎖状部」とは、少なくとも細かな凹凸構造を伴い、自由に屈曲できる細長い部材を意味する。この条件に合致する限りにおいて、繊維材料等からなる紐状、帯状又は糸状の部材、又は比較的少数の棒状体を非固定的に連結した部材等も含む。部材の構成材料についても、金属製の他に、宝石類を含む各種のシリカ系材料製、その他の無機質材料製、植物系材料製、プラスチックス製等を限定なく含む。鎖状部の代表例として、多数の小環状部材の連結体である「チェーン」を挙げることができる。
【００５２】
〔ホルダーとホルダー受け〕
ホルダー及びホルダー受けとしては、任意の形態及び機構により留め具の係止と係止解除とを行うものである限りにおいて、その種類及び構造を限定されない。ホルダー及びホルダー受けは、所定の正しい係止位置（又は噛合い状態）において留め具の確実な係止が可能なものである。好ましくは、ホルダー及びホルダー受けには後述する吸着部材の各一方が設けられる。
【００５３】
特に好ましいホルダー及びホルダー受けとしては、ホルダーが１対の顎部材を開口／閉口可能に軸支したバネ閉じ式の鰐口クリップであり、ホルダー受けが前記１対の開口状態の顎部材間に嵌入して係止される係止部材である場合が例示される。この場合、鰐口クリップの開閉及び係止に関わる機構が「ホルダーの係止動作機構」に相当する。
【００５４】
〔鰐口クリップ及び係止部材〕
バネ閉じ式の鰐口クリップ及び係止部材とは、少なくとも以下のような構成を備えるものを言う。
【００５５】
即ち、上記のバネ閉じ式の鰐口クリップには、１対の顎部材が基本的に平行に軸支される非交差式（通常の洗濯バサミのような基本形態）のものと、１対の顎部材が交差状に軸支される交差式（例えば、洋バサミのような基本形態）のものとが考えられるが、そのいずれもが本発明の鰐口クリップに包含される。
【００５６】
バネ閉じ式の鰐口クリップは、係止部材の係止用部分を挟着するための１対の顎部材を備える。１対の顎部材は支軸（通常は同一の支軸）によって回動可能に拘束され、これらの顎部材間に設けたバネ手段により顎部材の先端部（係止部材に対する挟着部）同士が開いた状態から閉じた状態へ移行するように付勢されている。
【００５７】
１対の顎部材の先端部同士が閉じている状態、即ち鰐口クリップの閉口状態はホルダーの係止（噛合わせ）状態に相当し、１対の顎部材の先端部同士が開いている状態、即ち鰐口クリップの開口状態はホルダーの係止（噛合わせ）解除状態に相当する。閉口状態にある鰐口クリップに対して、前記の非交差式の鰐口クリップではバネ手段の付勢力に抗して１対の顎部材の後端部を閉じる動作を行わせることにより、鰐口クリップが開口状態となり、前記の交差式の鰐口クリップでは、バネ手段の付勢力に抗して１対の顎部材の後端部を開く動作を行わせることにより、鰐口クリップが開口状態となる。
【００５８】
バネ閉じ式の鰐口クリップは、非交差式の鰐口クリップの例で言うと、顎部材のハンドル部分を手指で摘んで閉じる方向へ回動させることにより、鰐口クリップを開口状態にすることができる。この開口状態において、鰐口クリップを係止部材に対する噛合い位置にロケーションさせた後、手指で摘んでいたハンドル部分を開放すると、鰐口クリップがバネ手段の付勢力によって係止部材に噛合い、留め具の係止がなされる。
【００５９】
係止部材は、開口状態にある鰐口クリップの顎部材間に嵌入可能である適宜な形状と、鰐口クリップの顎部材が確実に噛合うことができる形状の噛合い部分を備えていれば良い。噛合いの確実性を期するために、顎部材の先端部にも一定の適宜な噛合い形状を形成することができる。なお、係止部材は、後述のように鰐口クリップ側の吸着部材に対応する吸着部材も備える必要があるので、係止部材における上記の噛合い形状部分と吸着部材の設定との関連では、種々の設計上の工夫があり得る。
【００６０】
〔吸着部材と支持部材〕
吸着部材は、装飾品の片方の鎖状部の端部に設けたホルダー（例えば上記の鰐口クリップ）と、他方の鎖状部の端部に設けたホルダー受け（例えば上記の係止部材）の双方に設けられる。これらの吸着部材は、互いに吸着するＮ極磁石とＳ極磁石との組み合わせであっても良いし、磁石とこれに吸着される一定の金属材（例えば鉄材）との組み合わせであっても良い
ホルダーとホルダー受けとにおける吸着部材の設定部位としては、これらのホルダーとホルダー受けとを正しい係止（噛合い）位置に誘導することができる適正な部位が選ばれる。このような部位は、ホルダーとホルダー受けとの形状や噛合い形態等によって種々に変わるので、一律に規定することは困難である。
【００６１】
装飾品鎖状端部の留め具が上記の鰐口クリップと係止部材からなる場合には、鰐口クリップの内部に一方の吸着部材を設け、係止部材の先端に他方の吸着部材を設けることが特に好ましい。
【００６２】
この場合において、鰐口クリップの内部に設ける吸着部材の設置位置は限定されない。例えば、１対の顎部材の一方又は双方における内部側の部分に吸着部材を設置することができる。又、１対の顎部材間に位置する適宜な支持部材を設定し、この支持部材を吸着部材としたり、更に好ましくは、この支持部材における鰐口クリップ先端側の端部に吸着部材を設けることもできる。このような支持部材は、顎部材によって直接に保持させることが可能である。又、このような支持部材を設ける場合、１対の顎部材を回動可能に拘束している前記の支軸を支持部材中に通過させる場合が多いので、この支軸によって支持部材を軸支することも可能である。
【００６３】
本発明の装飾品鎖状端部の留め具において、例えば鰐口クリップのようなホルダーは装飾品の片方の鎖状部の端部に設けられるが、より具体的には、リング径調節部に関して後述するように、鎖状部の端部は顎部材の内部（即ち、係止動作機構の内部）に挿通される。
【００６４】
バネ閉じ式の鰐口クリップを構成するに当たり、鰐口クリップを閉じるためのバネは、１対の顎部材に直接に（他の部材を介在させずに）取り付けることができる。１対の顎部材に直接に取り付けるバネは、通常は顎部材に対して連結させる必要がある。更に、前記のような支持部材を設ける場合は、このバネを支持部材の支点として利用することもできる。
【００６５】
〔リンク機構〕
前記のように、鰐口クリップの内部には、１対の顎部材とは別に吸着部材である支持部材や吸着部材を先端側に設けた支持部材を設置する場合があり、しかもこれらの支持部材を鰐口クリップ閉口用のバネによって支える場合がある。このような場合、鰐口クリップ閉口用のバネを１対の顎部材に対してリンクアームとして作用させることもできる。その場合、鰐口クリップの開口時に支持部材先端の吸着部材が開口部から突出動作するようなリンク機構が構成される。
【００６６】
このようなリンク機構では、鰐口クリップの開閉時に、支持部材が１対の顎部材に対して特定方向（先端−後端方向）へ相対移動することになる。そのため、顎部材の支軸（回転軸）が支持部材中を通過している場合には、この支軸が支持部材に対して先端−後端方向へスライド可能であるように構成する必要がある。このようなスライドを可能とする構成は、例えば、支持部材に先端−後端方向への幅を有するガイド溝を設けて、このガイド溝に顎部材の支軸を通し、支軸がガイド溝に沿って移動可能とする構成を例示することができる。
【００６７】
〔リング径調節部〕
本発明においては、リング径調節部は、ホルダーの係止動作機構の内部に装飾品の鎖状部を挿通させ、その挿通部において、係止動作機構の構成部品を用いて構成されるものである。リング径調節部は、常時は鎖状部を固定すると共に、必要に応じて鎖状部のスライド移動を許し、鎖状部リング径の調節を可能とするためのものである。
【００６８】
リング径調節部の構成は、上記の条件に合致する限りにおいて限定されないが、好ましくは、ホルダーの係止動作機構の構成部品であって、鎖状部の凹凸構造に喰い込むサイズ又は形状のチェーンストッパを備えたストッパ部品によって構成されている。このようなストッパ部品は、ホルダーの係止動作機構の任意の構成部品を用いて、種々に構成することが可能である。
【００６９】
ストッパ部品の第１の好ましい実施形態として、ホルダーの係止動作機構が細いバネ材を必須の部品としている場合において、そのバネ材をストッパ部品として利用し、バネ材における鎖状部に近接した部分をチェーンストッパとして鎖状部の凹凸構造に喰い込ませる、という形態が挙げられる。
【００７０】
上記した第１の好ましい実施形態において、装飾品留め具が前記のバネ閉じ式の鰐口クリップである場合、鰐口クリップの１対の顎部材のいずれか一方の内部に鎖状部を挿通させたもとで、この鎖状部に対して鰐口クリップ閉口用の線状バネ材を上記のチェーンストッパとして作用させる、という構成が特に好ましい。
【００７１】
更には、鰐口クリップの内部に１対の顎部材を軸支する支軸によって支持された支持部材を設け、この支持部材を鰐口クリップ閉口用の線状バネ材であるリンクアームを用いて１対の顎部材に連結することにより、１対の顎部材の開口時に吸着部材が開口部から突出動作するリンク機構を構成すると共に、このリンクアームをストッパ部品として利用し、リンクアームの顎部材との連結部側の端部を上記のチェーンストッパとして作用させる、という構成がとりわけ好ましい。
【００７２】
ストッパ部品の第２の好ましい実施形態として、ホルダーの係止動作機構がホルダーの係止と係止解除のために一定の動作を行う剛性部品を含む場合において、その剛性部品をストッパ部品として利用する形態が挙げられる。この場合、剛性部品における鎖状部に近接した部分を尖端状に形成してチェーンストッパとし、剛性部品の前記動作を利用して、ホルダーが係止状態にある時にはチェーンストッパが鎖状部の凹凸構造に喰い込んで鎖状部を固定し、ホルダーが係止解除状態にある時にはチェーンストッパが鎖状部から退避して鎖状部の固定を解除するように構成できる。
【００７３】
上記した第２の好ましい実施形態において、装飾品留め具が前記のバネ閉じ式の鰐口クリップである場合、鰐口クリップの１対の顎部材のいずれか一方の内部に鎖状部を挿通させたもとで、鰐口クリップの内部に１対の顎部材間に支持された剛性部品である支持部材を設け、この支持部材の一部を尖端状に形成して上記のチェーンストッパとして作用させる、という構成がとりわけ好ましい。この場合、支持部材は、鰐口クリップが閉口状態（ホルダーが噛合わせ状態）にある時には顎部材に対して近接位置し、鎖状部の凹凸構造に喰い込んでこれを固定する。鰐口クリップが開口状態（ホルダーが噛合わせ解除状態）にある時には支持部材が顎部材から離隔し、鎖状部のスライド移動が可能となる。
【００７４】
ストッパ部品に関する上記の第１の好ましい実施形態と第２の好ましい実施形態とは、支持部材が鰐口クリップ閉口用の線状バネ材であるリンクアームによって支持されている場合には、併せて実現することも可能である。
【実施例】
【００７５】
次に、本発明の実施例を図面に基づいて説明する。本発明の技術的範囲は以下の実施例によって限定されない。
【００７６】
〔実施例１〕
（実施例１の構成）
本実施例に係る装飾品留め具は鰐口クリップ方式のネックレス留め具である。装飾品留め具１は、装飾品の鎖状部２の各端部に設けた、ホルダーである鰐口クリップ３と、ホルダー受けである係止部材４とによって構成される。鎖状部２は多数の小環状部材の連結体であるチェーンであり、凹凸を伴う構造である。
【００７７】
鰐口クリップ３においては、支軸５によって１対の顎部材６を非交差式に軸支している。そして１対の顎部材６は角筒体に近い外形を持っているため、これらが同一の支軸５で軸支されることにより、全体として略角筒形の鰐口クリップ３を構成している。１対の顎部材６は、支軸５を中心として回動することにより、鰐口クリップ３の先端部（図の左側端部）を開口／閉口動作することができる。図１、図３及び図４は鰐口クリップ３の閉口状態であり、図２は鰐口クリップ３の開口状態である。
【００７８】
１対の顎部材６により構成された略角筒形の鰐口クリップ３の中心部には、支持部材７を設けている。支持部材７の先端部には、Ｎ極磁石９を固定している。Ｎ極磁石９は、鰐口クリップ３の閉口状態においては、その先端部よりも内部側（後端部側）へ後退した位置にある。
【００７９】
支持部材７の鰐口クリップ３に対する取り付け構造は次のようになっている。即ち、まず支持部材７にはガイド溝８を設け、このガイド溝８に前記の支軸５を通過させている。ガイド溝８は支持部材７の先端−後端方向沿いに一定の幅を持っているため、支軸５はガイド溝８中を先端−後端方向沿いにスライド動作することが可能である。次に、支持部材７において、ガイド溝８よりも少し後端方向の部分には、細い線状のバネ材からなるリンクアーム１０の中央部を挿通させている。このリンクアーム１０が、支持部材７の支点となっている。リンクアーム１０の両端部は、それぞれ１対の顎部材６の各一方の後端部（ハンドル部分）において軸支されている。
【００８０】
支持部材７は、リンクアーム１０によって支持され、かつ支軸５によって揺動を規制されるため、鰐口クリップ３の開口／閉口動作を行わせる際にも、支持部材７と鰐口クリップ３との相対的な空間位置関係は、先端−後端方向沿いの予定されたスライド動作を除き、不規則に変動又は揺動しない。
【００８１】
図２に示す鰐口クリップ３の開口状態から分かるように、リンクアーム１０の両端部の開き角度は、鰐口クリップ３の開口部からの支持部材７の突出幅を規定する。従って、この突出幅が比較的大きくなるように、リンクアーム１０の開き角度を設計することが好ましい。
【００８２】
鰐口クリップ３の開口部を構成する部分において、上側の顎部材６と下側の顎部材６には、それぞれ開口部の内周側へ少し張り出した止め部１１を形成している。一方、ホルダー受けである前記の係止部材４は、中央に開孔を有する板状の連結部材１２と、連結部材１２の先端部に連結させた角型筒状のＳ極磁石１３とからなる。図１に示すように、鰐口クリップ３が閉じて係止部材４と噛み合った時は、１対の顎部材６の上記止め部１１が連結部材１２の中央の開孔に入り込んで閉口された状態となるため、係止部材４は鰐口クリップ３から離脱できない。
【００８３】
なお、Ｎ極磁石９とＳ極磁石１３に関しては、支持部材７側の磁石をＳ極磁石とし、係止部材４側の磁石をＮ極磁石としても構わない。更に、これらのいずれか一方を磁石に吸着される金属材とし、他方を磁石としても構わない。
【００８４】
前記の鎖状部２の各端部は、ホルダー受けである係止部材４に対しては単に連結されるだけであるが、ホルダーである鰐口クリップ３に対しては、特に図３から分かるように、図の下側の顎部材６の内部に挿通され、その顎部材６に設けた鎖状部導出孔１４から外部に導出されている。そして、図の下側の顎部材６には、２箇所でリング径調節部が形成されている。いずれか１箇所のリング径調節部を形成しないという設計も可能である。
【００８５】
第１の箇所は、リンクアーム１０における顎部材６との連結部付近において、その線状のバネ材を図の水平方向に屈曲させて形成したチェーンストッパ１５である（図４参照）。チェーンストッパ１５を構成する線状のバネ材は、鎖状部２の凹凸構造に喰い込む位置に形成されている。このバネ材を鎖状部２に喰い込まない位置に構成した場合は、リング径調節部は形成されない。
【００８６】
第２の箇所は、支持部材７の先端部に設けたＮ極磁石９の一部を尖端状に突出させて形成したチェーンストッパ１６である。チェーンストッパ１６は、図３に示すようにホルダーである鰐口クリップ３が閉口状態（噛合わせ状態）にある時には鎖状部２の凹凸構造に喰い込んで鎖状部２を固定し、図２に示すように鰐口クリップ３が開口状態（噛合わせ解除状態）にある時には鎖状部２から退避して鎖状部２を開放する。支持部材７からチェーンストッパ１６を突出させない場合、リング径調節部は形成されない。
（実施例１の作用）
以上のように構成された実施例１の装飾品留め具１は、次のように使用される。
【００８７】
即ち、ネックレスの装着時において、片手には鰐口クリップ３を、他の片手には係止部材４をそれぞれ把持して首の後ろへ回し、その位置で両者を大まかに近接位置させる。
【００８８】
この時、鰐口クリップ３を把持した方の片手を用いて１対の顎部材６のハンドル部分（後端部）を閉じる方向へ回動させると、リンクアーム１０の付勢力に抗して鰐口クリップ３が図２に示す開口状態となる。同時に、リンクアーム１０の作用により支持部材７が鰐口クリップ３の開口部側へ押し出される結果、支持部材７の先端に設けたＮ極磁石９が鰐口クリップ３の開口部から突出する。従って、支持部材７先端のＮ極磁石９と、係止部材４先端のＳ極磁石１３とが互いに吸着されて結合する。
【００８９】
この結合動作により、鰐口クリップ３と係止部材４とは図１に示す正しい噛合い位置に自動的にガイドされ、ロケーションされる。鰐口クリップ３と係止部材４とが正しい噛合い位置にロケーションされたことは、Ｎ極磁石９とＳ極磁石１３との吸着時に発生する「カチッ」と言う信号音（磁石同志の衝突音）により、容易に確認することができる。
【００９０】
信号音を確認した後に、鰐口クリップ３のハンドル部分を回動させていた手の力を緩める。すると、リンクアーム１０の付勢力によって鰐口クリップ３が閉口状態に戻り、その際に係止部材４の先端部分が支持部材７と共に鰐口クリップ３の内部に引き込まれる。その結果、係止部材４のＳ極磁石１３に対して１対の顎部材６の止め部１１が噛合う。これによって、目視しなくても、ネックレスの鎖状部の端部間が簡単かつ確実に係止される。
【００９１】
ネックレスを外す時は、係止状態にある鰐口クリップ３と係止部材４を各一方の手で把持し、上記と同様に鰐口クリップ３を把持した方の片手を用いて鰐口クリップ３を開口状態とした上で、Ｎ極磁石９とＳ極磁石１３との吸着力に抗して、鰐口クリップ３と係止部材４とを引き離せば良い。換言すればリンクアーム１０の付勢力に抗して鰐口クリップ３を開口させる操作を行わない限り、留め具１の係止状態は解除されない。
【００９２】
次に、ネックレスのリング径の調節に関しては、前記のチェーンストッパ１５のみが構成されている場合に関しては、鰐口クリップ３が噛合わせ状態にあっても、噛合わせ解除状態にあっても、比較的強い力で鎖状部２を引っ張れば、チェーンストッパ１５の弾性的な押圧力に抗して鎖状部２が顎部材６の内部をスライド移動するので、ネックレスのリング径を調節することができる。
【００９３】
即ち、この場合、図の水平方向に差し渡して鎖状部２の凹凸構造に食い込ませた線状のチェーンストッパ１５を弾性的に少し変形させて鎖状部２がスライド移動する。チェーンストッパ１５は鎖状部２の凹凸構造に食い込んでいるため、前記従来技術のように摩擦抵抗部材やバネ部材をチェーンに面接触させるリング径調節具に比較して鎖状部２の固定力が強く、かつ、鎖状部２をスライド移動させたいときは、チェーンストッパ１５の弾性的変形により、それを許す。しかも、前記の特許文献５に記載のリング径調節具においては、充填したエラストマーの経時的摩滅によりストッパ機能が失われる点が問題となっているが、チェーンストッパ１５においてはバネ材の僅かな弾性的変形を利用するので、経時的にストッパ機能が失われる恐れもない。
【００９４】
上記のように、鎖状部の凹凸構造に対して線状の弾性部材を交差方向から食い込む位置関係に固定的に設け、この線状の弾性部材をネックレスのリング径調節のためのストッパ部材とするという機構は、本発明の留め具とは別に、（１）鎖状部を挿通した小さな筒状容器体の内部に、ネックレスのリング径調節具として独立に構成しても、あるいは、係止動作機構を有しない留め具のホルダー又はホルダー受けの内部に併せ設けるリング径調節具として構成しても、非常に有効である。
【００９５】
一方、前記のチェーンストッパ１６のみが構成され、又はチェーンストッパ１５及び１６が構成されている場合に関しては、鰐口クリップ３が係止解除状態にある際にチェーンストッパ１６による鎖状部２の固定が解除されるので、その時に、軽く、あるいは比較的強い力で鎖状部２を引っ張れば、鎖状部２が顎部材６の内部をスライド移動して、リング径を調節することができる。
【００９６】
〔実施例２〕
実施例２においては、図５〜図７に示すように、ホルダーである鰐口クリップ３側に取り付ける鎖状部２の端部が、下側の顎部材６の内部に挿通された後、支軸５を介して折り返され、次いで上側の顎部材６の内部に挿通され、この顎部材６後端側から外部へ導出される。そして、リンクアーム１０における図の上下の顎部材６との連結部付近において、その線状のバネ材を図の水平方向に屈曲させて形成したチェーンストッパ１５によって、２箇所でリング径調節部が形成されている。いずれか１箇所のリング径調節部を形成しないという設計も可能である。本実施例では、チェーンストッパ１６も図示されているが、事実上無用である。
【００９７】
実施例２において、上記の点以外の構成及び作用・効果は、実施例１の場合と同様である。
【００９８】
〔参考例〕
図８に示す参考例においては、基本的に実施例１や実施例２と同様の構成であるが、鎖状部２に対するリング径調節部としての前記チェーンストッパ１５あるいはチェーンストッパ１６を構成しておらず、代わりに、鎖状部２が下側の顎部材６の内部に挿通される位置と、鎖状部２が上側の顎部材６から外部へ導出される位置とに、装飾品留め具１の係止動作機構の構成部品ではないチェーンストッパ１７を固定している。このチェーンストッパ１７はゴム製又はエラストマー製（例えばシリコンゴム製又は軟質シリコン樹脂製）の筒状体であって、その内部に鎖状部２を緊密に挿通させ、摩擦抵抗によって鎖状部２の固定とスライド移動とを制御するようになっている。
【産業上の利用可能性】
【００９９】
本発明によって、留め具とリング径調節部材との単一部材化により外観が良好で、必要部品の点数が合理的に低減され、装飾品鎖状部のリング径調節機構においてリング径が勝手に拡張してしまう不具合がなく、更に留め具の係止機構と鎖状部のリング径調節機構とが好ましく連動する装飾品留め具が提供される。
【図面の簡単な説明】
【０１００】
【図１】実施例１に係る装飾品留め具の係止状態の斜視図を示す。
【０１０１】
【図２】実施例１に係る装飾品留め具の係止解除状態の斜視図を示す。
【０１０２】
【図３】図１における鰐口クリップの要部を切り欠いて示す正面図である。
【０１０３】
【図４】図３の右側面の要部を示す図である。
【０１０４】
【図５】実施例２に係る装飾品留め具の係止状態の斜視図を示す。
【０１０５】
【図６】図５における鰐口クリップの要部を切り欠いて示す正面図である。
【０１０６】
【図７】図６の右側面の要部を示す図である。
【０１０７】
【図８】参考例に係る装飾品留め具の係止状態の斜視図を示す。
【符号の説明】
【０１０８】
１                    装飾品留め具
２                    鎖状部
３                    鰐口クリップ
４                    係止部材
５                    支軸
６                    顎部材
７                    支持部材
９                    Ｎ極磁石
１０                  リンクアーム
１３                  Ｓ極磁石
１５、１６、１７      チェーンストッパ
【図１】
2008279047.tif 000003
【図２】
2008279047.tif 000004
【図３】
2008279047.tif 000005
【図４】
2008279047.tif 000006
【図５】
2008279047.tif 000007
【図６】
2008279047.tif 000008
【図７】
2008279047.tif 000009
【図８】
2008279047.tif 000010